(57)【特許請求の範囲】
【請求項１】
特定送信モードで構成される周期的チャネル状態情報（channel  state  information：ＣＳＩ）をレポートするよう動作するユーザ機器（ＵＥ）の装置であって、前記ＵＥは１又は複数のプロセッサとメモリとを有し、前記１又は複数のプロセッサ及びメモリは、
前記ＵＥにおいて、サブフレーム内での送信のために複数のＣＳＩレポートを生成し、各ＣＳＩレポートは、ＣＳＩプロセスインデックスを有するＣＳＩプロセスに対応し、各ＣＳＩレポートはサービングセルインデックスに対応し、
前記ＵＥにおいて、前記ＣＳＩレポートのＣＳＩプロセスインデックスが同じとき、最低サービングセルインデックスを有するＣＳＩレポートを除き、サービングセルインデックスに対応するＣＳＩレポートをドロップし、
前記ＵＥにおいて、送信のために少なくとも１つのＣＳＩレポートを符号化し、前記少なくとも１つのＣＳＩレポートは、前記最低サービングセルインデックスを有するＣＳＩプロセスのためのものである、
よう構成される、装置。
【請求項２】
前記少なくとも１つのＣＳＩレポートをｅＮＢ（evolved  Node  B）へ送信するよう構成される通信機を更に有する請求項１に記載の装置。
【請求項３】
前記１又は複数のプロセッサ及びメモリは、
前記ＵＥにおいて、最低ＣＳＩプロセスインデックスを有するＣＳＩプロセスを除き、ＣＳＩプロセスに対応するＣＳＩレポートをドロップし、
前記ＵＥにおいて、送信のために少なくとも１つのＣＳＩレポートを符号化し、前記少なくとも１つのＣＳＩレポートは、前記最低ＣＳＩプロセスインデックスを有するＣＳＩプロセスのためのものである、
よう更に構成される、請求項１に記載の装置。
【請求項４】
前記１又は複数のプロセッサ及びメモリは、
ＰＵＣＣＨ（physical  uplink  control  channel）フォーマットに基づき、選択された数のＣＳＩレポートを送信することを決定し、
前記サブフレーム内でＣＳＩレポートが衝突するのを回避するために、前記ＣＳＩプロセスに対応する前記選択された数の最高優先度のＣＳＩレポート以外の全てのＣＳＩプロセスに対応するＣＳＩレポートをドロップする、
よう更に構成される、請求項１に記載の装置。
【請求項５】
前記ＰＵＣＣＨフォーマットは、少なくとも１つのＣＳＩレポートを有するＰＵＣＣＨフォーマット２、２ａ、２ｂ、３を有し、前記最高優先度のＣＳＩレポートは最低ＣＳＩプロセスインデックスを有する、請求項４に記載の装置。
【請求項６】
前記１又は複数のプロセッサ及びメモリは、前記ＣＳＩプロセスインデックスに基づき低優先度のＣＳＩレポートをドロップする前に、サービングセルのＰＵＣＣＨ（physical  uplink  control  channel）レポート種類に基づき少なくとも１つの低優先度のＣＳＩレポートをドロップし、ＰＵＣＣＨレポート種類３、５、６及び２ａはＰＵＣＣＨレポート種類１、１ａ、２、２ｂ、２ｃ及び４より高い優先度を有し、ＰＵＣＣＨレポート種類２、２ｂ、２ｃ及び４はＰＵＣＣＨレポート種類１及び１ａより高い優先度を有する、よう更に構成される、請求項１に記載の装置。
【請求項７】
前記１又は複数のプロセッサ及びメモリは、最低ＣＳＩプロセスインデックスに対応するサービングセルの最高優先度ＣＳＩプロセスを有する規定ＣＳＩプロセスを割り当てるよう更に構成される、請求項１に記載の装置。
【請求項８】
前記ＣＳＩプロセスインデックスは、特定ＣＳＩプロセス及び特定サービングセルについてユニークである、請求項１に記載の装置。
【請求項９】
前記特定送信モードは、ＣｏＭＰ（coordinated  multipoint）構成のために用いられる、請求項１に記載の装置。
【請求項１０】
前記ＵＥは、アンテナ、タッチ感応ディスプレイスクリーン、スピーカ、マイクロフォン、グラフィックプロセッサ、アプリケーションプロセッサ、内部メモリ、不揮発性メモリポ―ト及びそれらの組合せのうちの少なくとも１つを有する、請求項１に記載の装置。
【請求項１１】
特定送信モードで構成される周期的チャネル状態情報（channel  state  information：ＣＳＩ）のために構成される無線装置であって、前記無線装置は、
１又は複数のプロセッサ及びメモリであって、
前記無線装置において、サブフレーム内での送信のために複数のＣＳＩレポートを生成し、各ＣＳＩレポートは、ＣＳＩプロセスインデックスを有するＣＳＩプロセスに対応し、各ＣＳＩレポートはサービングセルインデックスに対応し、
前記無線装置において、前記ＣＳＩレポートのＣＳＩプロセスインデックスが同じとき、最低サービングセルインデックスを有するＣＳＩレポートを除き、サービングセルインデックスに対応するＣＳＩレポートをドロップする、
よう構成される１又は複数のプロセッサ及びメモリと、
前記少なくとも１つのＣＳＩレポートをｅＮＢ（evolved  Node  B）へ送信するよう構成される通信機と、
を有する無線装置。
【請求項１２】
前記１又は複数のプロセッサ及びメモリは、
前記無線装置において、最低ＣＳＩプロセスインデックスを有するＣＳＩプロセスを除き、ＣＳＩプロセスに対応するＣＳＩレポートをドロップし、
前記無線装置において、前記最低ＣＳＩプロセスインデックスを有するＣＳＩプロセスのための少なくとも１つのＣＳＩレポートを処理する、
よう更に構成される、請求項１１に記載の無線装置。
【請求項１３】
前記１又は複数のプロセッサ及びメモリは、
ＰＵＣＣＨ（physical  uplink  control  channel）フォーマットに基づき、選択された数のＣＳＩレポートを送信することを決定し、
前記サブフレーム内でＣＳＩレポートが衝突するのを回避するために、前記ＣＳＩプロセスに対応する前記選択された数の最高優先度のＣＳＩレポート以外の全てのＣＳＩプロセスに対応するＣＳＩレポートをドロップし、
前記ＰＵＣＣＨフォーマットは、少なくとも１つのＣＳＩレポートを有するＰＵＣＣＨフォーマット２、２ａ、２ｂ、３を有し、前記最高優先度のＣＳＩレポートは、最低ＣＳＩプロセスインデックスを有する、
よう更に構成される、請求項１１に記載の無線装置。
【請求項１４】
前記１又は複数のプロセッサ及びメモリは、前記ＣＳＩプロセスインデックスに基づき低優先度のＣＳＩレポートをドロップする前に、サービングセルのＰＵＣＣＨ（physical  uplink  control  channel）レポート種類に基づき少なくとも１つの低優先度のＣＳＩレポートをドロップし、ＰＵＣＣＨレポート種類３、５、６及び２ａはＰＵＣＣＨレポート種類１、１ａ、２、２ｂ、２ｃ及び４より高い優先度を有し、ＰＵＣＣＨレポート種類２、２ｂ、２ｃ及び４はＰＵＣＣＨレポート種類１及び１ａより高い優先度を有する、よう更に構成される、請求項１１に記載の無線装置。
【請求項１５】
ＣＱＩ（channel  quality  indicator）フィードバックを有しないＲＩ（rank  indication）又は広帯域ＰＭＩ（precoding  matrix  indicator）フィードバックを有するＰＵＣＣＨレポート種類は、ＣＱＩフィードバックを有するＰＵＣＣＨレポート種類より高い優先度を有し、広帯域ＣＱＩフィードバックを有するＰＵＣＣＨレポート種類は、サブバンドＣＱＩフィードバックを有するＰＵＣＣＨレポートより高い優先度を有する、請求項１４に記載の無線装置。
【請求項１６】
前記通信機は、ＲＲＣ（radio  resource  control）シグナリングを介して、特定ＣＳＩプロセスインデックス又は特定サービングセルインデックスを有するＣＳＩレポートの優先度を受信するよう更に構成される、請求項１１に記載の無線装置。
【請求項１７】
前記１又は複数のプロセッサ及びメモリは、
ＨＡＲＱ−ＡＣＫ（hybrid  automatic  repeat  request-acknowledgement）及びＣＳＩレポートを多重化し、
ＨＡＲＱ−ＡＣＫフィードバックビット及びスケジューリング要求（scheduling  request：ＳＲ）を有するＣＳＩレポートがＰＵＣＣＨ（physical  uplink  control  channel）フォーマット３ペイロードに適合するかどうかを決定する、
よう更に構成され、
前記通信機は、
ＨＡＲＱ−ＡＣＫフィードバックビット及びＳＲを有するＣＳＩレポートが前記ＰＵＣＣＨフォーマット３ペイロードに適合しないとき、ＣＳＩレポートを有しないＳＲを含むＨＡＲＱ−ＡＣＫフィードバックビットを送信し、
ＨＡＲＱ−ＡＣＫフィードバックビット及びＳＲを有するＣＳＩレポートが前記ＰＵＣＣＨフォーマット３ペイロードに適合するとき、ＣＳＩレポートを有するＳＲを含む多重化ＨＡＲＱ−ＡＣＫフィードバックビットを送信する、
よう更に構成される、
請求項１１に記載の無線装置。
【請求項１８】
前記通信機は、ＰＵＣＣＨ（physical  uplink  control  channel）フォーマットの非衝突ＣＳＩレポートの数を送信し、各ＣＳＩレポートは最大１１個のＣＳＩビットを用いるよう更に構成される、請求項１１に記載の無線装置。
【請求項１９】
特定送信モードで構成される周期的チャネル状態情報（channel  state  information：ＣＳＩ）をレポートするためのコンピュータプログラムであって、前記コンピュータプログラムは、ユーザ機器（ＵＥ）の１又は複数のプロセッサにより実行されると、前記ＵＥに、
前記ＵＥにおいて、サブフレーム内での送信のために複数のＣＳＩレポートを生成するステップであって、各ＣＳＩレポートは、ＣＳＩプロセスインデックスを有するＣＳＩプロセスに対応し、各ＣＳＩレポートはサービングセルインデックスに対応する、ステップと、
前記ＵＥにおいて、前記ＣＳＩレポートのＣＳＩプロセスインデックスが同じとき、最低サービングセルインデックスを有するＣＳＩレポートを除き、サービングセルインデックスに対応するＣＳＩレポートをドロップするステップと、
前記ＵＥにおいて、ｅＮＢ（evolved  Node  B）への送信のために少なくとも１つのＣＳＩレポートを符号化するステップであって、前記少なくとも１つのＣＳＩレポートは、前記最低サービングセルインデックスを有するＣＳＩプロセスのためのものである、ステップと、
を実行させる、コンピュータプログラム。
【請求項２０】
前記コンピュータプログラムは、前記ＵＥに、
前記ＵＥにおいて、最低ＣＳＩプロセスインデックスを有するＣＳＩプロセスを除き、ＣＳＩプロセスに対応するＣＳＩレポートをドロップするステップと、
前記ＵＥにおいて、ｅＮＢ（evolved  Node  B）への送信のために少なくとも１つのＣＳＩレポートを符号化するステップであって、前記少なくとも１つのＣＳＩレポートは、前記最低ＣＳＩプロセスインデックスを有するＣＳＩプロセスのためのものである、ステップと、
を更に実行させる請求項１９に記載のコンピュータプログラム。
【請求項２１】
前記コンピュータプログラムは、前記ＵＥに、
ＰＵＣＣＨ（physical  uplink  control  channel）フォーマットに基づき、選択された数のＣＳＩレポートを送信することを決定するステップと、
前記サブフレーム内でＣＳＩレポートが衝突するのを回避するために、前記ＣＳＩプロセスに対応する前記選択された数の最高優先度のＣＳＩレポート以外の全てのＣＳＩプロセスに対応するＣＳＩレポートをドロップするステップと、
を更に実行させ、
前記ＰＵＣＣＨフォーマットは、少なくとも１つのＣＳＩレポートを有するＰＵＣＣＨフォーマット２、２ａ、２ｂ、３を有し、前記最高優先度のＣＳＩレポートは、最低ＣＳＩプロセスインデックスを有する、
請求項１９に記載のコンピュータプログラム。
【請求項２２】
前記コンピュータプログラムは、前記ＵＥに、
前記ＣＳＩプロセスインデックスに基づき低優先度のＣＳＩレポートをドロップする前に、サービングセルのＰＵＣＣＨ（physical  uplink  control  channel）レポート種類に基づき少なくとも１つの低優先度のＣＳＩレポートをドロップするステップであって、ＰＵＣＣＨレポート種類３、５、６及び２ａはＰＵＣＣＨレポート種類１、１ａ、２、２ｂ、２ｃ及び４より高い優先度を有し、ＰＵＣＣＨレポート種類２、２ｂ、２ｃ及び４はＰＵＣＣＨレポート種類１及び１ａより高い優先度を有する、ステップを更に実行させる請求項１９に記載のコンピュータプログラム。
【請求項２３】
前記コンピュータプログラムは、前記ＵＥに、最低ＣＳＩプロセスインデックスに対応するサービングセルの最高優先度ＣＳＩプロセスを有する規定ＣＳＩプロセスを割り当てるステップを更に実行させる請求項１９に記載のコンピュータプログラム。
【請求項２４】
前記ＣＳＩプロセスインデックスは、特定ＣＳＩプロセス及び特定サービングセルについてユニークである、請求項１９に記載のコンピュータプログラム。
【請求項２５】
前記特定送信モードは、ＣｏＭＰ（coordinated  multipoint）構成のために用いられる、請求項１９に記載のコンピュータプログラム。
【請求項２６】
請求項１９乃至２５のいずれか一項に記載のコンピュータプログラムを記憶したコンピュータ可読記憶媒体。
【発明の詳細な説明】
【技術分野】
【０００１】
本発明は、ＣｏＭＰ（coordinated  multipoint）シナリオにおける周期的チャネル状態情報（channel  state  information：ＣＳＩ）レポートのための技術に関する。
【背景技術】
【０００２】
無線モバイル通信技術は、種々の規格及びプロトコルを用いて、ノード（例えば、送信局）と無線装置（例えば、モバイル装置）との間でデータを伝送する。幾つかの無線装置は、ダウンリンク（ＤＬ）送信でＯＦＤＭＡ（orthogonal  frequency−division  multiple  access）を、アップリンク（ＵＬ）送信でＳＣ−ＦＤＭＡ（single  carrier  frequency  division  multiple  access）を用いて通信する。信号送信のためにＯＦＤＭ（orthogonal  frequency−division  multiplexing）を用いる規格及びプロトコルは、３ＧＰＰ（third  generation  partnership  project）ＬＴＥ（long  term  evolution）、ＷｉＭＡＸ（Worldwide  interoperability  for  Microwave  Access）として業界団体に一般に知られているＩＥＥＥ（Institute  of  Electrical  and  Electronics  Engineers）８０２．１６標準（例えば、８０２．１６ｅ、８０２．１６ｍ）、及びＷｉＦｉとして業界団体に一般に知られているＩＥＥＥ８０２．１１標準を含む。
【０００３】
３ＧＰＰ  ＲＡＮ（radio  access  network）ＬＴＥシステムでは、ノードは、Ｅ−ＵＴＲＡＮ（Evolved  Universal  Terrestrial  Radio  Access  Network）ＮｏｄｅＢ（evolved  Node  B、enhanced  Node  B、eNodeB、又はeNBとしても一般的に表記される）と、ユーザ機器（ＵＥ）として知られる無線装置と通信するＲＮＣ（Radio  Network  Controllers）との組合せであり得る。ダウンリンク（ＤＬ）送信は、ノード（例えば、eNodeB）から無線装置（例えば、ＵＥ）への通信であり得る。また、アップリンク（ＵＬ）送信は、無線装置からノードへの通信であり得る。
【０００４】
同種ネットワークでは、ノードは、マクロノードとも呼ばれ、セル内の無線装置に基本無線カバレッジを提供できる。セルは、無線装置がマクロノードと通信するよう動作可能な領域であり得る。異種ネットワーク（ＨｅｔＮｅｔｓ）は、無線装置の使用及び機能の増大により増大したマクロノードのトラフィック負荷を処理するために用いることができる。ＮｅｔＮｅｔｓは、マクロノードのカバレッジ領域（セル）の範囲内であまり計画性の高くない若しくは全体的に未調整の方法で展開され得る低電力ノード（スモールｅＮＢ、マイクロｅＮＢ、ピコｅＮＢ、フェムトｅＮＢ又はホームｅＮＢ［ＨｅＮＢ］）の層と重なる、高電力マクロノード（又はマクロｅＮＢ）の１つの層を有し得る。、低電力ノード（ＬＰＮ）は、通常、「低電力ノード」、スモールノード、又はスモールセルと表すことができる。
【０００５】
マクロノードは、基本カバレッジのために用いることができる。低電力ノードは、ホットゾーン内の又はマクロノードのカバレッジエリア間の境界における容量を向上するために、並びにビル構造物が信号伝送を妨げる屋内カバレッジを向上するために、カバレッジホールを満たすために用いることができる。セル間干渉調整（Inter−cell  interference  coordination：ＩＣＩＣ）又は拡張ＩＣＩＣ（ｅＩＣＩＣ）は、マクロノードのようなノード間及びＨｅｔＮｅｔ内の低電力ノード間の干渉を低減するために、リソース調整のために用いられても良い。
【０００６】
ＣｏＭＰ（Coordinated  Multipoint）システムは、同種ネットワーク及びＨｅｔＮｅｔｓの両方において近隣ノードからの干渉を低減するために用いられても良い。ＣｏＭＰシステムでは、ノードは、協調ノードと称され、複数セルからのノードが無線装置へ信号を送信し及び無線装置から信号を受信できる場合、他のノードと一緒にグループ化され得る。協調ノードは、同種ネットワークではノードであり、ＨｅｔＮｅｔｓではマクロノード及び／又は低電力ノード（ＬＰＮ）であり得る。ＣｏＭＰ動作は、ダウンリンク送信及びアップリンク送信に適用できる。ダウンリンクＣｏＭＰ動作は、２つのカテゴリに分割できる。つまり、協調スケジューリング又は協調ビームフォーミング（coordinatedscheduling  or  coordinated  beamforming：ＣＳ／ＣＢ又はＣＳ／ＣＢＦ）と、共同処理又は共同送信（joint  processing  or  joint  transmission：ＪＰ／ＪＴ）である。ＣＳ／ＣＢでは、所与のサブフレームは、１つのセルから所与の無線装置（例えば、ＵＥ）へ送信でき、協調ビームフォーミングを含むスケジューリングは、異なる送信間の干渉を制御及び／又は低減するために、セル間で動的に調整される。共同処理では、共同送信は、複数のセルにより複数の装置（例えば、ＵＥ）に対して実行され得る。ここで、複数のノードは、同じ時間及び周波数無線リソース及び／又は動的セル選択を用いて、同時に送信する。アップリンクＣｏＭＰ動作は、２つのカテゴリに分割できる。つまり、共同受信（joint  reception：ＪＲ）と、協調スケジューリング及びビームフォーミング（coordinated  scheduling  and  beamforming：ＣＳ／ＣＢ）である。ＪＲでは、無線装置（例えば、ＵＥ）により送信されるＰＵＳＣＨ（physical  uplink  shared  channel）は、複数ポイントで１つの時間フレームで共同で受信され得る。複数ポイントのセットは、ＣｏＭＰ受信ポイント（reception  point：ＲＰ）セットを構成し、ＵＬ  ＣｏＭＰ協調セットの部分に又はＵＬ  ＣｏＭＰ協調セット全体に含まれ得る。ＪＲは、受信信号品質を向上するために用いることができる。ＣＳ／ＣＢでは、ユーザスケジューリング及びプリコーディング選択決定は、ＵＬ  ＣｏＭＰ協調セットに対応するポイント間の協調により行うことができる。ＣＳ／ＣＢでは、ＵＥにより送信されるＰＵＳＣＨは、１つのポイントで受信され得る。
【発明の概要】
【発明が解決しようとする課題】
【０００７】
本発明は、ＣｏＭＰ（coordinated  multipoint）シナリオにおける周期的チャネル状態情報（channel  state  information：ＣＳＩ）レポートのためのＵＥ、無線装置、方法、及びコンピュータプログラムを提供する。
【課題を解決するための手段】
【０００８】
１つの方法は、ユーザ機器（ＵＥ）が、サブフレーム内で送信するために、複数のＣＳＩプロセスのための複数のＣＳＩレポートを生成するステップを有し得る。各ＣＳＩレポートは、CSIProcessIndexを有するＣＳＩプロセスに対応し得る。ＵＥは、最低CSIProcessIndexを有するＣＳＩプロセスを除くＣＳＩプロセスに対応するＣＳＩレポートをドロップし得る。ＵＥは、ｅＮＢ（evolved  Node  B）へ、ＣＳＩプロセスの少なくとも１つのＣＳＩレポートを送信し得る。
【図面の簡単な説明】
【０００９】
本開示の特徴及び利点は、例として本開示の特徴を共に図示する添付の図面と関連する以下の詳細な説明から明らかである。
【図１】一例による、種々の成分搬送波（component  carrier：ＣＣ）帯域幅のブロック図を示す。
【図２Ａ】一例による、複数の隣接成分搬送波のブロック図を示す。
【図２Ｂ】一例による、帯域内非隣接成分搬送波のブロック図を示す。
【図２Ｃ】一例による、帯域間非隣接成分搬送波のブロック図を示す。
【図３Ａ】一例による、対称−非対称キャリアアグリゲーション構成のブロック図を示す。
【図３Ｂ】一例による、非対称−対称キャリアアグリゲーション構成のブロック図を示す。
【図４】一例による、アップリンク無線フレームリソース（例えば、リソースグリッド）のブロック図を示す。
【図５】一例による、ＰＵＣＣＨ（physical  uplink  control  channel）のための周波数ホッピングのブロック図を示す。
【図６】一例による、ＰＵＣＣＨ（physical  uplink  control  channel）レポートモード毎のＰＵＣＣＨレポート種類及びモード状態の表を示す。
【図７Ａ】一例による、サイト内ＣｏＭＰ（coordinated  multipoint）システムを用いる同種ネットワークのブロック図を示す（例えば、ＣｏＭＰシナリオ１）。
【図７Ｂ】一例による、サイト間ＣｏＭＰ（coordinated  multipoint）システムを用いる高送信電力を有する同種ネットワークのブロック図を示す（例えば、ＣｏＭＰシナリオ２）。
【図７Ｃ】一例による、低電力ノードを有する異種ネットワークにおけるＣｏＭＰ（coordinated  multipoint）システムのブロック図を示す（例えば、ＣｏＭＰシナリオ３又は４）。
【図８】一例による、指定された送信モードで構成された周期的チャネル状態情報（channel  state  information：ＣＳＩ）をレポートするよう動作するユーザ機器（ＵＥ）のコンピュータ回路の機能を示す。
【図９】一例による、無線装置においてＣｏＭＰ（coordinated  multipoint）シナリオの中で周期的チャネル状態情報（channel  state  information：ＣＳＩ）をレポートする方法のフローチャートを示す。
【図１０】一例による、サービングノード、協調ノード、及び無線装置のブロック図を示す。
【図１１】一例による、無線装置（例えば、ＵＥ）の図を示す。
【発明を実施するための形態】
【００１０】
以下では、図示の例示的な実施形態を参照し、本願明細書ではそれらを説明するために固有の言語が用いられる。しかしながら、それにより本発明の範囲の如何なる限定も意図されないことが理解されるだろう。
【００１１】
本発明が開示され説明される前に、本発明は本願明細書に開示される特定の構造、処理ステップ又は材料に限定されず、関連分野の当業者により認識されるように、それらの等価物にまで拡張されることが理解されるべきである。本願明細書で用いられる用語は、特定の例を説明することのみを目的としており、限定を目的としていないことが理解されるべきである。異なる図中の同じ参照符号は、同じ要素を表す。フローチャート及び処理中に提供される数値は、ステップ及び動作を説明する際に明確性のために提供されるものであり、必ずしも特定の順序又は配列を示さない。
【００１２】
＜例示的な実施形態＞
以下に、技術的実施形態の最初の概略が提供され、次に特定の技術的実施形態が詳細に説明される。この最初の概要は、読者が技術をより迅速に理解するのを助けることを目的としており、技術の主要な特徴又は基本的特徴を特定することを意図せず、あるいは請求される主題の範囲を限定することを意図しない。
【００１３】
無線データ送信量の増大は、スマートフォン及びタブレット装置のような無線装置に無線通信サービスを提供するために認可スペクトルを用いる無線ネットワーク内で輻輳を生み出している。輻輳は、都市部及び大学のような高密度及び高使用場所において特に顕著である。
【００１４】
無線装置に追加帯域幅容量を提供する１つの技術は、複数の小さな帯域幅のキャリアアグリゲーションを用いて無線装置（例えば、ＵＥ）において仮想広帯域チャネルを形成することである。キャリアアグリゲーション（carrier  aggregation：ＣＡ）では、複数の成分搬送波（component  carrier：ＣＣ）は、集約され、単一の端末へ／からの送信のために一緒に使用できる。搬送波は、情報が配置される許可された周波数領域内の信号であり得る。１つの搬送波に配置できる情報量は、周波数領域内の集約された搬送波の帯域幅により決定され得る。許可された周波数領域は、帯域幅が制限される場合が多い。帯域幅制限は、多数のユーザが同時に許可された周波数領域内の帯域幅を使用するとき、より深刻になり得る。
【００１５】
図１は、無線装置により用いることができる搬送波帯域幅、信号帯域幅、又は成分搬送波（ＣＣ）を示す。例えば、ＬＴＥ  ＣＣ帯域幅は、１．４ＭＨｚ２１０、３ＭＨｚ２１２、５ＭＨｚ２１４、１０ＭＨｚ２１６、１５ＭＨｚ２１８、及び２０ＭＨｚ２２０を有し得る。１．４ＭＨｚＣＣは、７２個の副搬送波を有する６個のリソースブロック（resource  block：ＲＢ）を有し得る。３ＭＨｚＣＣは、１８０個の副搬送波を有する１５個のＲＢを有し得る。５ＭＨｚＣＣは、３００個の副搬送波を有する２５個のＲＢを有し得る。１０ＭＨｚＣＣは、６００個の副搬送波を有する５０個のＲＢを有し得る。１５ＭＨｚＣＣは、９００個の副搬送波を有する７５個のＲＢを有し得る。２０ＭＨｚＣＣは、１２００個の副搬送波を有する１００個のＲＢを有し得る。
【００１６】
キャリアアグリゲーション（Carrier  aggregation：ＣＡ）は、ユーザの無線装置とノードとの間で、複数の搬送波信号を同時に通信できるようにする。複数の異なる搬送波を用いることができる。幾つかの例では、搬送波は、異なる許可された周波数領域からのものであっても良い。
【００１７】
キャリアアグリゲーションは、無線装置に広い選択肢を提供し、より多くの帯域幅を獲得させることができる。大きな帯域幅は、ビデオのストリーミング又は大容量データファイルの通信のような帯域幅集中的な動作を通信するために用いることができる。
【００１８】
図２Ａは、連続する搬送波のキャリアアグリゲーションの一例を示す。本例では、３つの搬送波は、周波数帯に沿って連続して配置される。各搬送波は、成分搬送波として表すことができる。連続型システムでは、成分搬送波は、互いに隣接して配置され、通常、単一の周波数帯（例えば、帯域Ａ）内に配置され得る。周波数帯は、電磁スペクトルの選択された周波数範囲であり得る。選択された周波数帯は、無線電話のような無線通信による使用のために指定される。特定の周波数帯は、無線サービスプロバイダにより所有され又は賃貸される。各隣接成分搬送波は、同じ帯域幅又は異なる帯域幅を有しても良い。帯域幅は、周波数帯の選択された部分である。無線電話は、伝統的に、単一の周波数帯の範囲内で実施されている。隣接キャリアアグリゲーションでは、１つの高速フーリエ変換（fast  Fourier  transform：ＦＦＴ）モジュール及び／又は１つの無線フロントエンドのみが用いられても良い。隣接成分搬送波は、類似のレポート及び／又は処理モジュールを利用できる類似した伝搬特性を有し得る。
【００１９】
図２Ｂ〜２Ｃは、非連続な成分搬送波のキャリアアグリゲーションの一例を示す。非連続の成分搬送波は、周波数範囲に沿って分離されても良い。各成分搬送波は、異なる周波数帯に配置されても良い。非連続キャリアアグリゲーションは、細分化されたスペクトルの集約を提供できる。帯域内（又は単一帯域）非連続キャリアアグリゲーションは、図２Ｂに示すような同一周波数帯（例えば、帯域Ａ）の範囲内の非連続キャリアアグリゲーションを提供する。帯域間（又は複数帯域）非連続キャリアアグリゲーションは、図２Ｃに示すような異なる周波数帯（例えば、帯域Ａ、Ｂ、又はＣ）の範囲内の非連続キャリアアグリゲーションを提供する。異なる周波数帯内の成分搬送波を使用する能力は、利用可能な帯域幅の一層効率的な使用を可能にし、集約されたデータスループットを向上する。
【００２０】
ネットワーク対称（又は非対称）キャリアアグリゲーションは、セクタ内のネットワークにより提供されるダウンリンク（ＤＬ）及びアップリンク（ＵＬ）成分搬送波の数により定めることができる。ＵＥ対称（又は非対称）キャリアアグリゲーションは、ＵＥのために構成されるダウンリンク（ＤＬ）及びアップリンク（ＵＬ）成分搬送波の数により定めることができる。ＤＬ  ＣＣの数は、少なくともＵＬ  ＣＣの数であっても良い。ＳＩＢ（system  information  block  type）２は、ＤＬとＵＬとの間の固有リンク付けを提供できる。図３Ａは、対称−非対称キャリアアグリゲーション構成のブロック図を示す。ここで、キャリアアグリゲーションは、ネットワークについてＤＬとＵＬとの間で対称であり、ＵＥについてＤＬとＵＬとの間で非対称である。図３Ｂは、非対称−対称キャリアアグリゲーション構成のブロック図を示す。ここで、キャリアアグリゲーションは、ネットワークについてＤＬとＵＬとの間で非対称であり、ＵＥについてＤＬとＵＬとの間で対称である。
【００２１】
成分搬送波は、図４に示すような一般的なＬＴＥ（long  term  evolution）フレーム構造を用いるノード（例えば、ｅＮｏｄｅＢ）と無線装置（例えば、ＵＥ）との間のアップリンク送信において、物理（ＰＨＹ）層で送信される無線フレーム構造を介してチャネル情報を伝達するために用いることができる。ＬＴＥフレーム構造が図示されるが、ＩＥＥＥ８０２．１６標準（ＷｉＭａｘ）、ＩＥＥＥ８０２．１１標準（ＷｉＦｉ）、又はＳＣ−ＦＤＭＡ若しくはＯＦＤＭＡを用いる別の種類の通信標準規格が用いられても良い。
【００２２】
図４は、アップリンク無線フレーム構造を示す。本例では、制御情報又はデータを送信するために用いられる信号の無線フレーム１００は、１０ミリ秒（ｍｓ）の期間Ｔｆを有するよう構成され得る。各無線フレームは、それぞれ１ｍｓ長である１０個のサブフレーム１１０ｉにセグメント化又は分割され得る。各サブフレームは、それぞれ０．５ｍｓの期間Ｔｓｌｏｔを有する２個のスロット１２０ａ及び１２０ｂに更に細分化され得る。無線装置及びノードにより用いられる成分搬送波（ＣＣ）のための各スロットは、ＣＣ周波数帯域幅に基づく複数のリソースブロック（ＲＢ）１３０ａ、１３０ｂ、１３０ｉ、１３０ｍ及び１３０ｎを有し得る。各ＲＢ（物理ＲＢ又はＰＲＢ）１３０ｉは、副搬送波当たり、（周波数軸で）１２〜１５ｋＨｚの副搬送波１３６及び（時間軸で）６又は７個のＳＣ−ＦＤＭＡシンボル１３２を有し得る。短い又は通常の巡回プレフィックスが用いられる場合、ＲＢは、７個のＳＣ−ＦＤＭＡシンボルを使用し得る。拡張巡回プレフィックスが用いられる場合、ＲＢは、６個のＳＣ−ＦＤＭＡシンボルを使用し得る。リソースブロックは、短い又は通常の巡回プレフィックスを用いて８４個のリソースエレメント（resource  element：ＲＥ）にマッピングされる。または、リソースブロックは、拡張巡回プレフィックスを用いて７２個のＲＥ（図示しない）にマッピングされ得る。ＲＥは、１つの副搬送波（つまり、１５ｋＨｚ）１４６による１つのＳＣ−ＦＤＭＡシンボルの単位であり得る。ＱＰＳＫ（quadrature  phase−shift  keying）変調の場合、各ＲＥは、２ビットの情報１５０ａ及び１５０ｂを送信できる。各ＲＥでより多数のビットを送信するために１６ＱＡＭ（quadrature  amplitude  modulation）又は６４ＱＡＭのような、又は各ＲＥでより少数のビット（単一ビット）を送信するためにＢＰＳＫ（bi−phase  shift  keying）変調のような、他の種類の変調が用いられても良い。ＲＢは、無線装置からノードへのアップリンク送信のために構成され得る。
【００２３】
参照信号（Reference  signal：ＲＳ）は、ＳＣ−ＦＤＭＡシンボルにより、リソースブロック内のリソースエレメントを介して送信され得る。参照信号（又はパイロット信号又はトーン）は、タイミング同期、チャネル及び／又はチャネル内ノイズの推定のような種々の理由で用いられる知られている信号であり得る。参照信号は、無線装置及びノードにより受信され送信され得る。異なる種類の参照信号（ＲＳ）がＲＢ内で用いられ得る。例えば、ＬＴＥシステムでは、アップリンク参照信号種類は、ＳＲＳ（sounding  reference  signal）及びＵＥ固有参照信号（ＵＥ固有ＲＳ又はＵＥ−ＲＳ）又はＤＭ−ＲＳ（demodulation  reference  signal）を有し得る。ＬＴＥシステムでは、ダウンリンク参照信号種類は、チャネルに関するＣＳＩレポートを提供するために無線装置により測定され得るＣＳＩ−ＲＳ（channel  state  information  reference  signal）を有し得る。
【００２４】
アップリンク信号又はチャネルは、ＰＵＳＣＨ（Physical  Uplink  Shared  CHannel）上のデータ、又はＰＵＣＣＨ（Physical  Uplink  Control  CHannel）上の制御情報を有し得る。ＬＴＥでは、ＵＣＩ（uplink  control  information）を伝達するＰＵＣＣＨ（uplink  physical  channel）は、ＣＳＩ（channel  state  information）レポート、ＨＡＲＱ（Hybrid  Automatic  Retransmission  reQuest）ＡＣＫ／ＮＡＣＫ（ACKnowledgment/Negative  ACKnowledgment）及びアップリンクＳＲ（scheduling  request）を有し得る。
【００２５】
無線装置は、ＰＵＳＣＨを用いて非周期的ＣＳＩレポートを又はＰＵＣＣＨを用いて周期的ＣＳＩレポートを提供できる。ＰＵＣＣＨは、表１にＬＴＥについて示すように、種々の変調及び符号化スキーム（modulation  and  coding  scheme：ＭＣＳ）で、複数のフォーマット（つまりＰＵＣＣＨフォ―マット）をサポートできる。例えば、ＰＵＣＣＨフォ―マット３は、キャリアアグリゲーションのために用いることができるマルチビットＨＡＲＱ−ＡＣＫを伝達するために用いることができる。
【００２６】
【表１】
0006466515.tif 000002
別の例では、ＰＵＣＣＨフォーマット２は、図５に示すように周波数ホッピングを用いることができる。周波数ホッピングは、送信機（例えば、アップリンクではＵＥ）及び受信機（例えば、アップリンクではｅＮＢ）の両者に知られている疑似ランダムシーケンス又は固有シーケンスを用いて、多くの周波数チャネルの中で搬送波を迅速に切り替えることにより、無線信号を送信する方法であり得る。周波数ホッピングは、（時間領域において）連続的な割り当てをしながら、ＵＥが、アップリンクにおいてＬＴＥで用いられる広帯域チャネルの周波数ダイバーシティを利用できるようにする。
【００２７】
ＰＵＣＣＨは、種々のＣＳＩ（channel  state  information）レポートを有し得る。ＣＳＩレポート内のＣＳＩコンポーネントは、ＣＱＩ（channel  quality  indicator）、ＰＭＩ（precoding  matrix  indicator）、ＰＴＩ（precoding  type  indicator）、及び／又はＲＩ（rank  indication）レポート種類を有し得る。ＣＱＩは、受信ダウンリンク信号対干渉及び雑音比（signal  to  interference  plus  noise  ratio：ＳＩＮＲ）の測定値並びにＵＥの受信機特性の知識に基づき得る、ダウンリンクのための変調及び符号化方式（modulation  and  coding  scheme：ＭＣＳ）値のような適切なデータレートを示すために、ＵＥによりｅＮｏｄｅＢにシグナリングされ得る。ＰＭＩは、ＭＩＭＯ（multiple−input  multiple−output）動作をサポートするために、ＵＥによりフィードバックされる信号であり得る。ＰＭＩは、（ＵＥ及びｅＮｏｄｅＢにより共有されるコードブック内の）プリコーダのインデックスに対応し、全てのダウンリンク空間送信レイヤに渡り受信され得るデータビットの集約数を最大化し得る。ＰＴＩは、高速フェージング環境から低速フェージング環境を区別するために用いることができる。ＲＩは、ＰＤＳＣＨ送信モード３（例えば、開ループ空間多重化）及び４（例えば、閉ループ空間多重化）のために構成されるＵＥによりｅＮｏｄｅＢにシグナリングされ得る。ＲＩは、（ダウンリンクチャネルのＵＥの推定に基づく）空間多重化のための有用な送信レイヤの数に対応し、ｅＮｏｄｅＢが相応してＰＤＳＣＨ送信を適応できるようにし得る。
【００２８】
ＣＱＩレポートの粒度は、３つのレベル、つまり広帯域、ＵＥ選択サブバンド、及び高位レイヤ構成サブバンドに分けられる。広帯域ＣＱＩレポートは、ダウンリンクシステム帯域幅全体に対して１つのＣＱＩ値を提供できる。ＵＥ選択サブバンドＣＱＩレポートは、システム帯域幅を複数のサブバンドに分割できる。ここで、ＵＥは、望ましいサブバンドのセット（最適なＭ個のサブバンド）を選択でき、次に、帯域幅について１つのＣＱＩ値を、及び（選択されたＭ個のサブバンドを介した送信のみの場合）セットについて１つの差分ＣＱＩ値をレポートできる。高位レイヤ構成サブバンドＣＱＩレポートは、最高粒度を提供できる。高位レイヤ構成サブバンドＣＱＩレポートでは、無線装置は、システム帯域幅全体を複数のサブバンドに分割でき、次に、各サブバンドについて１つのように、１つの帯域幅ＣＱＩ及び複数の差分ＣＱＩ値をレポートする。
【００２９】
ＰＵＣＣＨにより伝達されるＵＣＩは、どのＣＳＩレポートが送信されているかを指定するために、異なるＰＵＣＣＨレポート種類（又はＣＱＩ／ＰＭＩ及びＲＩレポート種類）を用いることができる。例えば、ＰＵＣＣＨレポ―ト種類１は、ＵＥ選択サブバンドについてのＣＱＩフィードバックをサポートできる。種類１ａは、サブバンドＣＱＩ及び第２のＰＭＩフィードバックをサポートできる。種類２、種類２ｂ、及び種類２ｃは、広帯域ＣＱＩ及びＰＭＩフィードバックをサポートできる。種類２ａは、広帯域ＰＭＩフィードバックをサポートできる。種類３は、ＲＩフィードバックをサポートできる。種類４は、広帯域ＣＱＩをサポートできる。種類５は、ＲＩ及び広帯域ＰＭＩフィードバックをサポートできる。そして、種類６は、ＲＩ及びＰＴＩフィードバックをサポートできる。
【００３０】
異なるＣＳＩコンポーネントは、ＰＵＣＣＨレポート種類に基づき含まれ得る。例えば、ＲＩは、ＰＵＣＣＨレポート種類３、５又は６に含まれ得る。広帯域ＰＴＩは、ＰＵＣＣＨレポート種類６に含まれ得る。広帯域ＰＭＩは、ＰＵＣＣＨレポート種類２ａ又は５に含まれ得る。広帯域ＣＱＩは、ＰＵＣＣＨレポート種類２、２ｂ、２ｃ又は４に含まれ得る。サブバンドＣＱＩは、ＰＵＣＣＨレポート種類１又は１ａに含まれ得る。
【００３１】
異なる周期及びオフセットを有するＣＱＩ／ＰＭＩ及びＲＩ（ＰＵＣＣＨ）レポート種類は、図６の表により示されるＰＵＣＣＨ  ＣＳＩレポートモードのためにサポートされ得る。図５は、ＰＵＣＣＨレポート種類及びＰＵＣＣＨレポートモード毎のペイロードサイズ及びモード状態の、ＬＴＥの場合の一例を示す。
【００３２】
レポートされるＣＳＩ情報は、用いられるダウンリンク送信シナリオに基づき変化し得る。ダウンリンクのための種々のシナリオは、異なる送信モード（transmission  mode：ＴＭ）に反映され得る。例えば、ＬＴＥでは、ＴＭ１は単一の送信アンテナを用いることができ、ＴＭ２は送信ダイバシティを用いることができ、ＴＭ３はＣＤＤ（cyclic  delay  diversity）を伴う開ループ空間多重化を用いることができ、ＴＭ４は閉ループ空間多重化を用いることができ、ＴＭ５はＭＵ−ＭＩＭＯ（multi−user  MIMO）を用いることができ、ＴＭ６は単一送信レイヤを用いた閉ループ空間多重化を用いることができ、ＴＭ７はＵＥ固有ＲＳによるビームフォーミングを用いることができ、ＴＭ８はＵＥ固有ＲＳによる単一若しくは二重レイヤビームフォーミングを用いることができ、ＴＭ９は閉ループＳＵ−ＭＩＭＯ（single  user  MIMO）又はキャリアアグリゲーションをサポートするためにマルチレイヤ送信を用いることができる。一例では、ＴＭ１０は、ＪＰ（joint  processing）、ＤＰＳ（dynamic  point  selection）、及び／又はＣＳ／ＣＢ（coordinated  scheduling/coordinated  beamforming）のような、ＣｏＭＰ（coordinated  multipoint）シグナリングのために用いることができる。
【００３３】
各送信モードは、異なるＰＵＣＣＨ  ＣＳＩレポートモードを用いることができる。ここで、各ＰＵＣＣＨ  ＣＳＩレポートモードは、表２にＬＴＥについて示すように、異なるＣＱＩ及びＰＭＩフィードバック種類を表すことができる。
【００３４】
【表２】
0006466515.tif 000003
例えば、ＬＴＥでは、ＴＭ１、２、３及び７はＰＵＣＣＨ  ＣＳＩレポートモード１−０又は２−０を用いることができ、ＴＭ４、５及び６はＰＵＣＣＨ  ＣＳＩレポートモード１−１又は２−１を用いることができ、ＴＭ８は、ＵＥがＰＭＩ／ＲＩレポートを有して構成される場合にＰＵＣＣＨ  ＣＳＩレポートモード１−１又は２−１を、又はＵＥがＰＭＩ／ＲＩレポートを有しないで構成される場合にＰＵＣＣＨ  ＣＳＩレポートモード１−０又は２−０を用いることができ、ＴＭ９及び１０は、ＵＥがＰＭＩ／ＲＩレポートを有して構成される場合にＰＵＣＣＨ  ＣＳＩレポートモード１−１又は２−１を、又はＵＥがＰＭＩ／ＲＩレポートを有しないで構成される若しくはＣＳＩ−ＲＳポート数が１に等しい場合にＰＵＣＣＨ  ＣＳＩレポートモード１−０又は２−０を用いることができる。
【００３５】
ダウンリンク送信方式（例えば、送信モード）に基づき、ＵＥは、信号衝突又は干渉を生成することなく、ノード（例えばｅＮＢ）への送信を許可されたより多くのＣＳＩレポートを生成できる。無線装置（例えば、ＵＥ）は、ＣＳＩレポートを続け及び送信すべきか、及びサブフレームでの衝突を回避するためにどのＣＳＩレポートをドロップ若しくは廃棄するかについて決定しても良い。
【００３６】
ＣＳＩレポートでは、ＰＵＣＣＨフォーマット２は、ＵＥからｅＮＢへ、４乃至１１個のＣＳＩ（ＣＱＩ／ＰＭＩ／ＰＴＩ／ＲＩ）ビットを伝達できる。キャリアアグリゲーションでは、各サービングセルは、周期性、開始オフセット、又はＰＵＣＣＨモードのよなＣＳＩ構成に関するＲＲＣ（radio  resource  control）シグナリングにより独立に構成され得る。しかしながら、ＰＵＣＣＨフォーマット２を用いるＣＳＩの送信は、１次セルでのみ実行され得る。ＰＵＣＣＨフォーマット２を用いる一例では、特定のサービングセルについての１つのＣＳＩレポートが送信され、同時に、複数のサービングセルについての１より多いＣＳＩレポートが同じサブフレーム内で互いに衝突する可能性があるとき、他のサービングセルについての残りのＣＳＩレポートがドロップされても良い。他のサービングセルについてのＣＳＩレポートをドロップすることは、同じサブフレーム内のＣＳＩレポートの衝突を防ぎ得る。一例では、送信される周期的ＣＳＩレポートの優先度及びドロップされる周期的ＣＳＩレポートを決定するために用いられる基準は、ドロップされている低いＣＳＩレポート種類優先度を有するＰＵＣＣＨレポート種類に基づき得る。ＰＵＣＣＨレポ―ト種類３、５、６及び２ａは最高又は１番目の優先度を有し、ＰＵＣＣＨレポ―ト種類２、２ｂ、２ｃ及び４は次の優先度又は２番目の優先度を有し、ＰＵＣＣＨレポート種類１及び１ａは３番目又は最低の優先度を有することができる。したがって、ＵＥは、ＰＵＣＣＨレポート種類１、１ａを有するＣＳＩレポートを最初にドロップでき、次にＰＵＣＣＨレポート種類２、２ｂ、２ｃ及び４を有するＣＳＩレポートを２番目にドロップでき、次に送信されるべきＣＳＩレポートの数より多いＰＵＣＣＨレポート種類３、５、６及び２ａを有するＣＳＩレポートをドロップできる。一例では、ＣＳＩレポートは、各成分搬送波（component  carrier：ＣＣ）毎に生成することができる。各ＣＣは、サービングセルインデックス（つまり、ServCellIndex）により表すことができる。同じ優先度を有するレポート種類（例えば、ＰＵＣＣＨレポート種類３、５、６及び２ａ）を有するＣＳＩレポートの間では、対応するサービングセルインデックス（つまり、ServCellIndex）が増大するほど、セルの優先度は低下し得る（つまり、低いセルインデックスほど高い優先度を有する）。
【００３７】
別の例では、ＣＳＩレポート優先度は、ＣＳＩコンポーネントに基づき得る。ここで、ＲＩ及び広帯域ＰＭＩレポートは、ＣＱＩレポートより高い優先度を有し、広帯域ＣＱＩレポートはサブバンドＣＱＩレポートより高い優先度を有する。ＲＩはネットワークチャネル状態に関する全般情報を提供できるので、ＲＩは高い優先度を有し得る。一例では、ＰＭＩ及びＣＱＩはＲＩに依存し得る。広帯域ＣＱＩはチャネル又はチャネルの最悪シナリオに関する全般品質情報を提供でき、一方でサブバンドＣＱＩは狭帯域サブバンドチャネル品質情報を提供するので、広帯域ＣＱＩはサブバンドＣＱＩより高い優先度を有し得る。
【００３８】
一例では、追加ＣＳＩレポートは、ＣｏＭＰ（Coordinated  Multipoint）システムにおいて生成され得る。ＣＳＩレポートをドロップするための追加基準は、ＣｏＭＰシステムで用いられても良い。ＣｏＭＰシステム（マルチｅＮｏｄｅＢ  ＭＩＭＯ（multiple  input  multiple  output）としても知られている）は、干渉緩和を高めるために用いることができる。少なくとの４つのシナリオが、ＣｏＭＰ動作のために用いることができる。
【００３９】
図７Ａは、ＬＴＥ  ＣｏＭＰシナリオ１を説明し得る、同種ネットワーク内のサイト内ＣｏＭＰシステムの協調領域３０８（太線で輪郭を描く）の一例を示す。各ノード３１０Ａ及び３１２Ｂ〜Ｇは、複数のセル（又はセクタ）３２０Ａ〜Ｇ、３２２Ａ〜Ｇ、及び３２４Ａ〜Ｇに供し得る。セルは、ノードにより生成される論理的定義又はノードによりカバーされる（全カバレッジ領域内の）地理的送信領域若しくはサブ領域であり、制御チャネル、参照信号及び成分搬送波（component  carrier：ＣＣ）周波数のようなセルのパラメータを定める固有セル識別子（ＩＤ）を含み得る。複数のセルの間で送信を調整することにより、他のセルからの干渉は低減でき、所望の信号の受信電力は増大できる。ＣｏＭＰシステムの外部のノードは、非協調ノード３１２Ｂ〜Ｇであり得る。一例では、ＣｏＭＰシステムは、複数の非協調ノードにより囲まれた複数の協調ノード（図示しない）として説明できる。
【００４０】
図７Ｂは、ＬＴＥ  ＣｏＭＰシナリオ２を説明し得る、同種ネットワーク内の高い高電力ＲＲＨ（remote  radio  head）を有するサイト間ＣｏＭＰシステムの一例を示す。協調領域３０６（太線で輪郭を描く）はｅＮＢ３１０Ａ及びＲＲＨ３１４Ｈ〜Ｍを含み得る。一方で、各ＲＲＨは、バックホールリンク（光又は有線リンク）を介してｅＮＢと通信するよう構成され得る。協調ノードは、ｅＮＢ及びＲＲＨを含み得る。ＣｏＭＰシステムでは、ノードは、複数セルからの協調ノードが無線装置３０２へ信号を送信し及び無線装置から信号を受信できる場合、隣接セル内の協調ノードとして一緒にグループ化され得る。協調ノードは、無線装置３０２（例えば、ＵＥ）から／への信号の送信／受信を調整できる。各ＣｏＭＰシステムの協調ノードは、協調セットに含まれ得る。ＣＳＩレポートは、各協調セットからの送信に基づきＣＳＩプロセスに関して生成されても良い。
【００４１】
図７Ｃは、マクロセルカバレッジ領域内の低電力ノード（low  power  node：ＬＰＮ）を有するＣｏＭＰシステムの一例を示す。図７Ｃは、ＬＴＥ  ＣｏＭＰシナリオ３及び４を説明し得る。図７Ｃに示したサイト内ＣｏＭＰの例では、マクロノード３１０ＡのＬＰＮ（又はＲＲＨ）は、空間的に異なる場所に置かれても良く、ＣｏＭＰ協調は単一のマクロセル内であっても良い。協調領域３０４はｅＮＢ３１０Ａ及びＬＰＮ３８０Ｎ〜Ｓを含み得る。一方で、各ＬＰＮは、バックホールリンク３３２（光又は有線リンク）を介してｅＮＢと通信するよう構成され得る。マクロノードのセル３２６Ａは、サブセル３３０Ｎ〜Ｓに更に細分化されても良い。ＬＰＮ（又はＲＲＨ）３８０Ｎ〜Ｓは、サブセルのために信号を送信及び受信しても良い。無線装置３０２は、サブセル端（又はセル端）に存在し得る。サイト内ＣｏＭＰ協調は、ＬＰＮ（又はＲＲＨ）間で又はｅＮＢとＬＰＮとの間で生じ得る。ＣｏＭＰシナリオ３では、マクロセルカバレッジ領域内の送信／受信ポイントを提供する低電力ＲＲＨは、マクロセルとは異なるセルＩＤを有し得る。ＣｏＭＰシナリオ４では、マクロセルカバレッジ領域内の送信／受信ポイントを提供する低電力ＲＲＨは、マクロセルと同じセルＩＤを有し得る。
【００４２】
ダウンリンク（ＤＬ）ＣｏＭＰ送信は、２つのカテゴリに分割できる。つまり、協調スケジューリング又は協調ビームフォーミング（coordinatedscheduling  or  coordinated  beamforming：ＣＳ／ＣＢ又はＣＳ／ＣＢＦ）と、共同処理又は共同送信（joint  processing  or  joint  transmission：ＪＰ／ＪＴ）である。ＣＳ／ＣＢでは、所与のサブフレームは、１つのセルから所与のモバイル通信装置（例えば、ＵＥ）へ送信でき、協調ビームフォーミングを含むスケジューリングは、異なる送信間の干渉を制御及び／又は低減するために、セル間で動的に調整される。共同処理では、共同送信は、複数のセルによりモバイル通信装置（例えば、ＵＥ）に対して実行され得る。ここで、複数のノードは、同じ時間及び周波数無線リソース及び／又は動的セル選択を用いて、同時に送信する。共同送信のために２つの方法を用いることができる。つまり、ＯＦＤＭ信号のソフト結合受信を用いる非コヒーレント送信、及び受信機における同相結合のためにセル間でプリコーディングを実行するコヒーレント送信である。複数のアンテナからの信号を協調し及び結合することにより、ＣｏＭＰは、モバイルユーザがセル中心に近いか又はセルの外端に居るかに関わらず、モバイルユーザが高帯域幅サービスの一貫した性能及び品質を享受できるようにする。
【００４３】
単一のサービングセル（つまり、単一の成分搬送波（ＣＣ）シナリオ）でも、複数の周期的ＣＳＩレポートがＤＬ  ＣｏＭＰのために送信されても良い。ＰＵＣＣＨレポートは、ＣＳＩが提供され得るフォーマット及びアップリンクリソースを定めることができる。つまり、ＰＵＣＣＨレポ―ト構成は、ＣＳＩフィードバックをどのように送信するかを定めることができる。ＣｏＭＰ動作では、ＣＳＩの測定は、チャネル及び干渉部分の構成を含み得る「ＣｏＭＰ  ＣＳＩプロセス」により定めることができる。したがって、異なるＣＳＩレポートは、異なるプロセスに関連付けられ得る。例えば、１つのＣｏＭＰ  ＣＳＩプロセスに関連付けられるＣｏＭＰ  ＣＳＩ測定は、周期的又は非周期的フィードバックモードを用いて送信され得る。
【００４４】
複数の周期的ＣＳＩプロセスは、複数の周期的ＣＳＩレポートを実現するために、特定のＩＤ又はインデックス番号を用いてネットワークにより構成され得る。ここで用いられるように、ＣＳＩプロセスインデックス（CSIProcessIndex又はCSIProcessID）は、複数の周期的ＣＳＩプロセスのこのような実現を表す。例えば、サービングセル（例えば、サービングノード）が３つの周期的ＣＳＩプロセスを構成する場合、ネットワークは３つのＣＳＩ周期的プロセスを構成でき、CSIProcessIndexは０、１及び２として番号付けされ得る。各周期的ＣＳＩプロセスは、ＲＲＣシグナリングにより独立に構成され得る。
【００４５】
レガシーＬＴＥでは、１つの周期的ＣＳＩレポートのみが、ＰＵＣＣＨフォーマット２、２ａ又は２ｂにより送信され得る。１より多い周期的ＣＳＩ送信が１つのサブフレーム内で同時に発生する場合、１つの周期的ＣＳＩレポートのみが送信されても良く、残りの周期的ＣＳＩレポートはドロップされても良い。複数の周期的ＣＳＩレポートはＰＵＣＣＨフォーマット３を有するＰＵＣＣＨ又はＰＵＳＣＨで送信でき、集約される周期的ＣＳＩの最大ペイロードは依然として制限され得る。例えば、最大２２個の情報ビットが、ＰＵＣＣＨフォーマット３を用いて伝達できる。したがって、集約される周期的ＣＳＩビットの数が２２ビットを超える場合、残りのＣＳＩレポートはドロップされても良い。一例では、ＰＵＣＣＨフォーマット２が周期的ＣＳＩ送信のために用いられる場合、１つのＣＳＩプロセスのみが、容量基準に関わらず、送信のために選択されても良い。
【００４６】
CSIProcessIDが用いられるとき、どんなＣＳＩプロセス又はＣＳＩレポートがドロップされ得るかを決定するために、種々の方法を用いることができる。説明の目的で、複数のＣＳＩを伝達できるＰＵＣＣＨフォーマット３を有するＰＵＣＣＨが想定されるが、同じ原理が他のＰＵＣＣＨフォーマット又はＰＵＳＣＨのような他の場合に用いることができる。
【００４７】
集約される周期的ＣＳＩ情報ビットが特定のＰＵＣＣＨフォーマット（例えば、ＰＵＣＣＨフォーマット２、ＰＵＣＣＨフォーマット３、ＰＵＳＣＨ、又は他のフォーマット）の最大容量を超えない場合、集約される周期的ＣＳＩは、対応するＰＵＣＣＨフォーマットで送信され得る。その他の場合（つまり、集約される周期的ＣＳＩ情報ビットが特定のＰＵＣＣＨフォーマットの最大容量を超える場合）、ＣＳＩプロセスの中の周期的ＣＳＩが選択され、集約される周期的ＣＳＩペイロードが、ＣＳＩプロセスの最大数であり、ＰＵＣＣＨで用いられるＰＵＣＣＨフォーマットの最大容量未満であるようにする。例えば、ＣＳＩプロセス数が５であり且つＰＵＣＣＨフォーマット３が用いられる場合、及び各ＣＳＩプロセスのＣＳＩビット数が１１である場合、２つのＣＳＩプロセスのみのＣＳＩがＰＵＣＣＨフォーマット３で送信され、残りの３個のＣＳＩプロセスはドロップされても良い。
【００４８】
ＣＳＩプロセス及び／又はレポートをドロップする優先規則を決定するために種々の方法を用いることができる。複数プロセスのＣＳＩ送信を有するＰＵＣＣＨフォーマット３又は単一ＣＳＩプロセスを有するＰＵＣＣＨフォーマット２を用いるＰＵＣＣＨを用いることができる。一例では、ＰＵＣＣＨが周期的ＣＳＩ送信のためにＰＵＣＣＨフォーマット２を用いる場合、１つのＣＳＩプロセスのみが、容量基準に関わらず、送信のために選択されても良い。
【００４９】
ある方法（つまり、方法１）では、衝突するサブフレーム（又は衝突する可能性のあるサブフレーム）内のＣＳＩプロセスを残す（又はドロップする）優先度は、先ず、ＰＵＣＣＨレポート種類及び／又はＰＵＣＣＨレポートモードにより決定できる。１番目又は最高の優先度のＣＳＩプロセスは、ＰＵＣＣＨレポート種類３、５、６及び２ａに与えられ得る。次に、次の又は２番目の優先度のＣＳＩプロセスは、ＰＵＣＣＨレポート種類２、２ｂ、２ｃ及び４に与えられ得る。次に、３番目の又は最後の優先度のＣＳＩプロセスは、ＰＵＣＣＨレポート種類１及び１ａに与えられ得る。
【００５０】
ＰＵＣＣＨフォーマット３で集約されるＣＳＩビットの数が依然として２２ビットを超える場合、又はＰＵＣＣＨフォーマット２で１より多いＣＳＩプロセスが残っている場合、２つのルールのうちの１つを用いることができる。第１のルールを用いると、同じ優先度のＰＵＣＣＨレポートモード及び／又は種類を有するＣＳＩプロセスの間のＣＱＩ／ＰＭＩ／ＰＴＩ／ＲＩレポート優先度は、ＣＳＩプロセスインデックス（例えば、CSIProcessID）に基づき決定され得る。例えば、ＣＳＩプロセスＩＤの優先度は、対応するＣＳＩプロセスＩＤが増大するにつれて減少する。したがって、低いＣＳＩプロセスＩＤほど、高い優先度を有し得る。第２のルールを用いると、ＣＳＩプロセスの優先度は、ＲＲＣシグナリングにより構成され得る。
【００５１】
別の方法（つまり、方法２）では、衝突するサブフレーム内のＣＳＩプロセスを残す（又はドロップする）優先度は、ＲＲＣシグナリングにより与えられ得る。一例では、ＰＵＣＣＨフォーマット２の最大容量は１１ビットであり、ＰＵＣＣＨフォーマット３は２２ビットであり、ＰＵＳＣＨは５５ビットであり得る。
【００５２】
ＣＳＩプロセスを残す（又はドロップする）優先度は、送信モード１０のような、（ServCellIndexを用いて）キャリアアグリゲーション及び（CSIProcessID又はCSIProcessIndexを用いて）ＣｏＭＰシナリオの同時使用のために決定され得る。ＣＳＩプロセスをドロップする優先度は、搬送波及びＣＳＩプロセス領域の両方を考慮して定めることができる。
【００５３】
例えば、ある方法（つまり、方法Ａ）では、衝突するサブフレーム（又は衝突する可能性のあるサブフレーム）内のＣＳＩレポートをドロップする（又は残す）ために用いられるＣＳＩプロセス及び成分搬送波の優先度は、先ず、ＰＵＣＣＨレポート種類及び／又はＰＵＣＣＨレポートモードにより決定できる。１番目又は最高の優先度のＣＳＩプロセスは、ＰＵＣＣＨレポート種類３、５、６及び２ａに与えられ得る。次に、次の又は２番目の優先度のＣＳＩプロセスは、ＰＵＣＣＨレポート種類２、２ｂ、２ｃ及び４に与えられ得る。次に、３番目の又は最後の優先度のＣＳＩプロセスは、ＰＵＣＣＨレポート種類１及び１ａに与えられ得る。
【００５４】
ＰＵＣＣＨフォーマット３で集約されるＣＳＩビットの数が依然として２２ビットより多い場合、又はＰＵＣＣＨフォーマット２で１より多いＣＳＩプロセスが残っている場合、３つのルールのうちの１つを用いることができる。第１のルールを用いると、同じ優先度のＰＵＣＣＨレポートモード及び／又は種類を有するサービングセルの間のＣＱＩ／ＰＭＩ／ＰＴＩ／ＲＩレポート優先度は、サービングセルインデックス（例えば、ServCellIndex）に基づき決定され得る。セルの優先度は、対応するサービングセルインデックスが増大するにつれ、減少し得る。
【００５５】
ＰＵＣＣＨフォーマット３で集約されるＣＳＩビットの数が依然として２２より多い場合、又はＰＵＣＣＨフォーマット２で１より多いＣＳＩプロセスが依然として残っている場合、同じ優先度のＰＵＣＣＨレポートモード及び／又は種類を有する及び同じサービングセルインデックスを有するＣＳＩプロセスの間のＣＱＩ／ＰＭＩ／ＰＴＩ／ＲＩレポート優先度は、ＣＳＩプロセスインデックス（例えば、CSIProcessID又はCSIProcessIndex）に基づき決定できる。ＣＳＩプロセスインデックスの優先度は、対応するＣＳＩプロセスインデックスが増大するにつれて、減少し得る。
【００５６】
第２のルールを用いると、同じ優先度のＰＵＣＣＨレポートモード及び／又は種類を有す各サービングセルのＣＳＩプロセスの間のＣＱＩ／ＰＭＩ／ＰＴＩ／ＲＩレポート優先度は、ＣＳＩプロセスインデックス（例えば、CSIProcessID又はCSIProcessIndex）に基づき決定され得る。ＣＳＩプロセスインデックスの優先度は、対応するＣＳＩプロセスインデックスが増大するにつれて、減少し得る。
【００５７】
ＰＵＣＣＨフォーマット３で集約されるＣＳＩビットの数が依然として２２より多い場合、又はＰＵＣＣＨフォーマット２で１より多いＣＳＩプロセスが依然として残っている場合、同じ優先度のＰＵＣＣＨレポートモード及び／又は種類を有する及び同じＣＳＩプロセスインデックスを有するサービングセルの間のＣＱＩ／ＰＭＩ／ＰＴＩ／ＲＩレポート優先度は、サービングセルインデックス（例えば、ServCellIndex）に基づき決定できる。セルの優先度は、対応するサービングセルインデックスが増大するにつれ、減少し得る。
【００５８】
第３のルールを用いると、キャリアアグリゲーションで用いられるＣＣ及び／又はＣｏＭＰシナリオで用いられるＣＳＩプロセスインデックスに渡る優先度は、ＲＲＣシグナリングにより構成され得る。
【００５９】
別の方法（つまり、方法Ｂ）では、ＣｏＭＰシナリオで用いられるＣＳＩプロセス及びキャリアアグリゲーションで用いられる成分搬送波の優先度の全ては、ＲＲＣシグナリングにより構成され得る。
【００６０】
別の方法（つまり、方法Ｃ）では、ＣＳＩプロセスインデックスは、サービングセル及びＣＳＩプロセスに渡り一意に定められ得る（つまり、ユニークなＣＳＩプロセスインデックスは、CSIProcessIndex及びServCellIndexの組合せであり得る）。一例では、ＣＳＩプロセスインデックスは、ＲＲＣシグナリングを介して決定され通信され得る。例えば、２つのサービングセルアグリゲーション及びサービングセル当たり３つのＣＳＩプロセスでは、ＣＳＩプロセスの総数は、６個のＣＳＩプロセスについて一意に（つまり、ＣＳＩプロセス０、１、２、３、４、及び５毎に）定められ得る。
【００６１】
ユニークなＣＳＩプロセスインデックスを用いると、衝突するサブフレーム（又は衝突する可能性のあるサブフレーム）内のＣＳＩレポートをドロップする（又は残す）ために用いられるＣＳＩプロセスの優先度は、先ず、ＰＵＣＣＨレポート種類及び／又はＰＵＣＣＨレポートモードにより決定できる。１番目又は最高の優先度のＣＳＩプロセスは、ＰＵＣＣＨレポート種類３、５、６及び２ａに与えられ得る。次に、次の又は２番目の優先度のＣＳＩプロセスは、ＰＵＣＣＨレポート種類２、２ｂ、２ｃ及び４に与えられ得る。次に、３番目の又は最後の優先度のＣＳＩプロセスは、ＰＵＣＣＨレポート種類１及び１ａに与えられ得る。
【００６２】
ＰＵＣＣＨフォーマット３で集約されるＣＳＩビットの数が依然として２２より多い場合、又はＰＵＣＣＨフォーマット２で１より多いＣＳＩプロセスが依然として残っている場合、ＰＵＣＣＨレポートモード及び／又は種類の優先度を有するＣＳＩプロセスの間のＣＱＩ／ＰＭＩ／ＰＴＩ／ＲＩレポート優先度は、ＣＳＩプロセスインデックス（例えば、CSIProcessID又はCSIProcessIndex）に基づき決定できる。ＣＳＩプロセスインデックスの優先度は、対応するＣＳＩプロセスインデックスが増大するにつれて、減少し得る。
【００６３】
別の方法（つまり、方法Ｄ）では、規定ＣＳＩプロセスインデックスは、各サービングセルについて定められ得る。各規定ＣＳＩプロセスインデックスは、各サービングセル毎に最高優先度を有し得る。各サービングセルの規定ＣＳＩプロセスインデックスを用いると、衝突するサブフレーム（又は衝突する可能性のあるサブフレーム）内のＣＳＩレポートをドロップする（又は残す）ために用いられるＣＳＩプロセス及び成分搬送波の優先度は、先ず、ＰＵＣＣＨレポート種類及び／又はＰＵＣＣＨレポートモードにより決定できる。１番目又は最高の優先度のＣＳＩプロセスは、ＰＵＣＣＨレポート種類３、５、６及び２ａに与えられ得る。次に、次の又は２番目の優先度のＣＳＩプロセスは、ＰＵＣＣＨレポート種類２、２ｂ、２ｃ及び４に与えられ得る。次に、３番目の又は最後の優先度のＣＳＩプロセスは、ＰＵＣＣＨレポート種類１及び１ａに与えられ得る。
【００６４】
ＰＵＣＣＨフォーマット３で集約されるＣＳＩビットの数が依然として２２より多い場合、又はＰＵＣＣＨフォーマット２で１より多いＣＳＩプロセスが依然として残っている場合、ＰＵＣＣＨレポートモード及び／又は種類の優先度を有する規定ＣＳＩプロセスの間のＣＱＩ／ＰＭＩ／ＰＴＩ／ＲＩレポート優先度は、ＣＳＩプロセスインデックス（例えば、CSIProcessID又はCSIProcessIndex）に基づき決定できる。ＣＳＩプロセスインデックスの優先度は、対応するＣＳＩプロセスインデックスが増大するにつれて、減少し得る。
【００６５】
種々の方法の組合せも考えられる。
【００６６】
別の例では、結合されたキャリアアグリゲーション及びＣｏＭＰシナリオのドロップルールは、ＰＵＣＣＨフォーマット３を用いたＣＳＩ及びＨＡＲＱ−ＡＣＫの多重化のために用いられ得る。自動反復要求（Automatic  Repeat  reQuest）は、フィードバック機構であり、それにより、受信端末は誤りであると検出されるパケットの再送信を要求する。ハイブリッドＡＲＱ（Hybrid  ARQ）は、自動再送要求（Automatic  Retransmission  reQuest：ＡＲＱ）と、誤り訂正のオーバヘッドをチャネル品質に依存して動的に適応可能にする前方誤り訂正（forward  error  correction：ＦＥＣ）との同時結合である。ＨＡＲＱが用いられるとき、及び誤りがＦＥＣにより訂正できる場合、再送信は要求されない。一方、誤りが検出されるが訂正できない場合、再送信が要求され得る。ＰＤＳＣＨ内のように１又は複数のデータブロックの受信及び復号化に成功したことを示すために、肯定応答（ACKnowledgment：ＡＣＫ）信号が送信され得る。パケットの適正な受信に肯定応答するため、又は（ＮＡＣＫ若しくはＮＡＫを介して）新しい再送信を要求するために、ＨＡＲＱ−ＡＣＫ／否定応答（ACKnowledgement：ＮＡＣＫ又はＮＡＫ）情報は、受信機から送信機へのフィードバックを含み得る。
【００６７】
一例では、ＨＡＲＱ−ＡＣＫ送信のためにＰＵＣＣＨフォーマット３で構成されるＵＥでは、及びＵＥが周期的ＣＳＩでＨＡＲＱ−ＡＣＫ送信を送信するよう構成されるサブフレームでは、及びＨＡＲＱ−ＡＣＫ送信のためにＰＵＣＣＨフォーマット３リソースがＵＥに示されるサブフレームでは、ＵＥは、以下の処理に従ってＨＡＲＱ−ＡＣＫ及び単一セル周期的ＣＳＩを送信できる。フォーマット３リソースに加えていかなる追加ＰＵＣＣＨフォーマット３リソースも、ＨＡＲＱ−ＡＣＫ及びＣＳＩ多重化のために構成されない。ＨＡＲＱ−ＡＣＫ及び周期的ＣＳＩは、スケジュール要求（schedule  request：ＳＲ）を含み最大２２ビットまで一緒に符号化できる。（ＳＲを含む）ＨＡＲＱ−ＡＣＫフィードバックビットと一緒に選択される周期的ＣＳＩレポートがＰＵＣＣＨフォーマット３のペイロードサイズに適合するとき、周期的ＣＳＩレポートのためのサービングセルが選択され得る。次に、周期的ＣＳＩ及び（ＳＲを含む）ＨＡＲＱ−ＡＣＫビットは送信され得る。その他の場合、周期的ＣＳＩを有しない（ＳＲを含む）ＨＡＲＱ−ＡＣＫが送信され得る。
【００６８】
結合されたキャリアアグリゲーション及びＣｏＭＰの例では、１つのＣＳＩレポートのみが、ＰＵＣＣＨフォーマット３を有するＰＵＣＣＨでの結合されたＣＳＩプロセス及びＡＣＫ／ＮＡＣＫ（Ａ／Ｎ）フィードバックのために選択されても良い。上述の方法Ａ、Ｂ、Ｃ及びＤの選択されたルールは、ＰＵＣＣＨフォーマット３を有するＰＵＣＣＨでの結合されたＣＳＩプロセス及びＡ／Ｎのための１つの周期的ＣＳＩレポートを選択するために用いられ得る。
【００６９】
例えば、方法Ａを用いるドロップルールは、次のように表すことができる。衝突するサブフレーム（又は衝突する可能性のあるサブフレーム）内のＣＳＩレポートをドロップする（又は残す）ために用いられるＣＳＩプロセス及び成分搬送波の優先度は、先ず、ＰＵＣＣＨレポート種類及び／又はＰＵＣＣＨレポートモードにより決定できる。１番目又は最高の優先度のＣＳＩプロセスは、ＰＵＣＣＨレポート種類３、５、６及び２ａに与えられ得る。次に、次の又は２番目の優先度のＣＳＩプロセスは、ＰＵＣＣＨレポート種類２、２ｂ、２ｃ及び４に与えられ得る。次に、３番目の又は最後の優先度のＣＳＩプロセスは、ＰＵＣＣＨレポート種類１及び１ａに与えられ得る。
【００７０】
ＰＵＣＣＨフォーマット２で１より多いＣＳＩプロセスが依然として残っている場合、同じ優先度のＰＵＣＣＨレポートモード及び／又は種類を有す各サービングセルのＣＳＩプロセスの間のＣＱＩ／ＰＭＩ／ＰＴＩ／ＲＩレポート優先度は、ＣＳＩプロセスインデックス（例えば、CSIProcessID又はCSIProcessIndex）に基づき決定され得る。ＣＳＩプロセスインデックスの優先度は、対応するＣＳＩプロセスインデックスが増大するにつれて、減少し得る。
【００７１】
次に、ＰＵＣＣＨフォーマット２で１より多いＣＳＩプロセスが依然として残っている場合、同じ優先度のＰＵＣＣＨレポートモード及び／又は種類を有する及び同じＣＳＩプロセスインデックスを有するサービングセルの間のＣＱＩ／ＰＭＩ／ＰＴＩ／ＲＩレポート優先度は、サービングセルインデックス（例えば、ServCellIndex）に基づき決定できる。セルの優先度は、対応するサービングセルインデックスが増大するにつれ、減少し得る。
【００７２】
図８のフローチャートに示すように、別の例は、指定された送信モードで構成された周期的チャネル状態情報（channel  state  information：ＣＳＩ）をレポートするよう動作するユーザ機器（ＵＥ）のコンピュータ回路の機能５００を提供する。機能は方法として実施されても良い。あるいは、機能は機械において命令として実行されても良い。ここで、命令は、少なくとも１つのコンピュータ可読媒体若しくは非一時的機械可読記憶媒体に含まれる。ブロック５１０のように、コンピュータ回路は、複数のＣＳＩプロセスのサブフレーム内で送信するための複数のＣＳＩレポートを生成するよう構成され得る。ここで、各ＣＳＩレポートは、CSIProcessIndexを有するＣＳＩプロセスに対応する。ブロック５２０のように、コンピュータ回路は、最低CSIProcessIndexを有するＣＳＩプロセスを除くＣＳＩプロセスに対応するＣＳＩレポートをドロップするよう更に構成され得る。ブロック５３０のように、コンピュータ回路は、ＣＳＩプロセスの少なくとも１つのＣＳＩレポートをｅＮＢ（evolved  Node  B）へ送信するよう構成され得る。
【００７３】
一例では、ＣＳＩレポートをドロップするよう構成されるコンピュータ回路は、ＰＵＣＣＨ（physical  uplink  control  channel）フォーマットに基づき選択された数のＣＳＩレポートを送信することを決定し、及びサブフレーム内でＣＳＩレポートが衝突するのを回避するために、ＣＳＩプロセスに対応する選択された数の最高優先度ＣＳＩレポート以外の全てのＣＳＩプロセスに対応するＣＳＩレポートをドロップするよう、更に構成され得る。ＰＵＣＣＨフォーマットは、少なくとも１つのＣＳＩレポートを有するＰＵＣＣＨフォーマット２、２ａ、２ｂ、３を有し得る。
【００７４】
一例では、ＣＳＩレポートをドロップするよう構成されるコンピュータ回路は、ＣＳＩレポートのCSIProcessIndexesが同じとき、最低ServCellIndexを有するＣＳＩレポートを除き、ServCellIndexに基づきＣＳＩレポートをドロップするよう更に構成され得る。別の例では、コンピュータ回路は、CSIProcessIndexに基づき低優先度ＣＳＩレポートをドロップする前に、サービングセルのＰＵＣＣＨ（physical  uplink  control  channel）レポート種類に基づき、少なくとも１つの低優先度ＣＳＩレポートをドロップするよう更に構成され得る。ＰＵＣＣＨレポート種類３、５、６及び２ａは、ＰＵＣＣＨレポート種類１、１ａ、２、２ｂ、２ｃ及び４より高い優先度を有し得る。ＰＵＣＣＨレポート種類２、２ｂ、２ｃ及び４は、ＰＵＣＣＨレポート種類１及び１ａより高い優先度を有する。最高優先度ＣＳＩレポートは、最低CSIProcessIndexを有し得る。別の構成では、コンピュータ回路は、最低CSIProcessIndexに対応するサービングセルのために最高優先度ＣＳＩプロセスを有する規定ＣＳＩプロセスを割り当てるよう構成され得る。別の例では、CSIProcessIndexは、特定ＣＳＩプロセス及び特定サービングセルについてユニークであり得る。特定送信モードは、ＣｏＭＰ（coordinated  multipoint）構成のために用いることができる。一例では、特定送信モードは、ＣｏＭＰ構成のために用いられる送信モード１０を有し得る。
【００７５】
図９のフローチャートに示すように、別の例は、ＣｏＭＰ（coordinated  multipoint）シナリオにおけるユーザ機器（ＵＥ）からの周期的チャネル状態情報（channel  state  information：ＣＳＩ）レポートのための方法６００を提供する。方法は機械において命令として実行されても良い。ここで、命令は、少なくとも１つのコンピュータ可読媒体若しくは非一時的機械可読記憶媒体に含まれる。ブロック６１０のように、方法は、ＵＥにおいて、サブフレーム内で衝突するＣＳＩレポートの数を決定する動作を含む。ここで、ＣＳＩレポートは複数のＣＳＩプロセスを含み、各ＣＳＩレポートは、ＣＳＩプロセスインデックスを有するＣＳＩプロセスに対応する。ブロック６２０のように、ＣＳＩレポートの数を優先順位付けする動作が続く。ここで、高い優先度を有するＣＳＩプロセスほど、低いＣＳＩプロセスインデックスを有する。ブロック６３０のように、方法の次の動作は、ＣＳＩプロセスインデックスに部分的に基づき、低優先度ＣＳＩレポートをドロップすることであり得る。ブロック６４０のように、方法は、少なくとも１つの最高優先度ＣＳＩレポートをＵＥからノードへ送信することを更に有し得る。
【００７６】
ＣＳＩレポートの数を優先順位付けする動作は、ＣＱＩ（channel  quality  indicator）／ＰＭＩ（precoding  matrix  indicator）／ＲＩ（rank  indication）レポート種類に基づきＣＳＩレポートの数を優先順位付けすることを更に有し得る。ここで、ＣＱＩ／ＰＭＩ／ＲＩレポート種類３、５、６及び２ａはＣＱＩ／ＰＭＩ／ＲＩレポート種類１、１ａ、２、２ｂ、２ｃ及び４より高い優先度を有し、ＣＱＩ／ＰＭＩ／ＲＩレポート種類２、２ｂ、２ｃ及び４はＣＱＩ／ＰＭＩ／ＲＩレポート種類１及び１ａより高い優先度を有する。一例では、ＣＳＩレポートの数を優先順位付けする動作は、サービングセルインデックス又は成分搬送波（ＣＣ）に基づき、ＣＳＩレポートの数を優先順位付けし、次にＣＳＩプロセスインデックスに基づきＣＳＩレポートの数を優先順位付けすることを更に有し得る。ここで、高い優先度を有するＣＣほど、低いサービングセルインデックスを有する。別の例では、ＣＳＩレポートの数を優先順位付けする動作は、ＣＳＩプロセスインデックスに基づき、ＣＳＩレポートの数を優先順位付けし、次に、サービングセルインデックス又は成分搬送波（ＣＣ）に基づき、ＣＳＩレポートの数を優先順位付けすることを更に有し得る。ここで、高い優先度を有するＣＣほど、低いサービングセルインデックスを有する。
【００７７】
別の構成では、ＣＳＩレポートの数を優先順位付けする動作は、各ＣＳＩレポートのＣＳＩプロセスインデックス又は成分搬送波（ＣＣ）に基づき、無線リソース制御（radio  resource  control：ＲＲＣ）シグナリングを介して、ＣＳＩレポートの優先度を受信することを更に有し得る。別の例では、ユニークなＣＳＩプロセスインデックスは、特定ＣＳＩプロセス及び特定ＣＣのために割り当てられ得る。別の例では、方法は、最高優先度のＣＳＩプロセスを有する規定ＣＳＩプロセスを定めることを更に有し得る。規定ＣＳＩプロセスは、最低ＣＳＩプロセスインデックスに対応し得る。
【００７８】
少なくとも１つの最高優先度ＣＳＩレポートを送信する動作は、ＰＵＣＣＨフォーマットで利用可能な最大１１個のＣＳＩビット毎に、非衝突ＣＳＩレポートを送信することを更に有し得る。ノードは、基地局（ＢＳ）、ＮＢ（Node  B）、ｅＮＢ（evolved  Node  B）、ベースバンドユニット（baseband  unit：ＢＢＵ）、ＲＲＨ（remote  radio  head）、ＲＲＥ（remote  radio  equipment）、ＲＲＵ（remote  radio  unit）を有し得る。
【００７９】
図１０は、例示的なノード（例えば、サービングノード７１０及び協調ノード７３０）及び例示的な無線装置７２０を示す。ノードは、ノード装置７１２及び７３２を有し得る。ノード装置又はノードは、無線装置と通信するよう構成され得る。ノード装置は、送信モード１０のような特定送信モードで構成される周期的チャネル状態情報（channel  state  information：ＣＳＩ）送信を受信するよう構成され得る。ノード装置又はノードは、Ｘ２アプリケーションプロトコル（Ｘ２ＡＰ）のようなバックホールリンク７４０（光又は有線リンク）を介して他のノードと通信するよう構成され得る。ノード装置は、処理モジュール７１４及び７３４、並びに通信機モジュール７１６及び７３６を有し得る。通信機モジュールは、ＰＵＣＣＨで周期的チャネル状態情報（ＣＳＩ）を受信するよう構成され得る。通信機モジュール７１６及び７３６は、Ｘ２アプリケーションプロトコル（Ｘ２ＡＰ）を介して協調ノードと通信するよう更に構成され得る。処理モジュールは、ＰＵＣＣＨの周期的ＣＳＩレポートを処理するよう更に構成され得る。ノード（例えば、サービングノード７１０及び協調ノード７３０）は、基地局（ＢＳ）、ＮＢ（Node  B）、ｅＮＢ（evolved  Node  B）、ベースバンドユニット（baseband  unit：ＢＢＵ）、ＲＲＨ（remote  radio  head）、ＲＲＥ（remote  radio  equipment）、又はＲＲＵ（remote  radio  unit）を有し得る。
【００８０】
無線装置７２０は、通信機モジュール７２４及び処理モジュール７２２を有し得る。無線装置は、ＣｏＭＰ動作で用いられる送信モードのような特定送信モードで構成される周期的チャネル状態情報（channel  state  information：ＣＳＩ）送信のために構成され得る。処理モジュールは、ＣＳＩプロセスインデックス及びＰＵＣＣＨ（physical  uplink  control  channel）レポート種類に基づきサブフレームについて複数のＣＳＩレポートの中でＣＳＩレポートの優先度を生成し、低優先度ＣＳＩレポートをドロップするよう構成され得る。ＣＳＩプロセスインデックスは、ダウンリンク（ＤＬ）ＣｏＭＰ  ＣＳＩプロセスに対応し得る。通信機モジュールは、少なくとも１つの高優先度ＣＳＩレポートをノードへ送信するよう構成され得る。
【００８１】
一例では、サービングセルのための最高優先度ＣＳＩプロセスは、最低CSIProcessIndexに対応し得る。ＣＱＩ（channel  quality  indicator）フィードバックを有しないＲＩ（rank  indication）又は広帯域ＰＭＩ（precoding  matrix  indicator）フィードバックを有するＰＵＣＣＨレポート種類は、ＣＱＩフィードバックを有するＰＵＣＣＨレポート種類より高い優先度を有し得る。広帯域ＣＱＩフィードバックを有するＰＵＣＣＨレポート種類は、サブバンドＣＱＩフィードバックを有するＰＵＣＣＨレポートより高い優先度を有し得る。
【００８２】
ある構成では、処理モジュール７２２は、サービングセルインデックスに基づきＣＳＩレポートを優先順位付けし、次に、ＣＳＩプロセスインデックスに基づきＣＳＩレポートを優先順位付けするよう更に構成され得る。低いサービングセルインデックスを有するＣＳＩレポートは、高いサービングセルインデックスを有するＣＳＩレポートよりも高い優先度を有し得る。低いＣＳＩプロセスインデックスを有する特定サービングセルインデックスのためのＣＳＩレポートは、高いＣＳＩプロセスインデックスを有する特定サービングセルインデックスのためのＣＳＩレポートより高い優先度を有し得る。
【００８３】
別の構成では、処理モジュール７２２は、ＣＳＩプロセスインデックスに基づきＣＳＩレポートを優先順位付けし、次に、サービングセルインデックスに基づきＣＳＩレポートを優先順位付けするよう更に構成され得る。ＣＳＩプロセスインデックスを有するＣＳＩレポートは、高いＣＳＩプロセスインデックスを有するＣＳＩレポートよりも高い優先度を有し得る。低いサービングセルインデックスを有する特定ＣＳＩインデックスのためのＣＳＩレポートは、高いサービングセルインデックスを有する特定ＣＳＩプロセスインデックスのためのＣＳＩレポートより高い優先度を有し得る。
【００８４】
別の構成では、通信機モジュール７２４は、ＲＲＣ（radio  resource  control）シグナリングを介して、特定ＣＳＩプロセスインデックス又は特定サービングセルインデックスを有するＣＳＩレポートの優先度を受信するよう更に構成され得る。一例では、処理モジュール７２２は、結合されたＣＳＩプロセスインデックス及びサービングセルインデックスに基づき、ＣＳＩレポートを優先順位付けするよう更に構成され得る。低い結合ＣＳＩプロセスインデックス及びサービングセルインデックスを有するＣＳＩレポートは、高い結合ＣＳＩプロセスインデックス及びサービングセルインデックスを有するＣＳＩレポートより高い優先度を有し得る。別の例では、処理モジュールは、最高優先度のＣＳＩプロセスを有する規定ＣＳＩプロセスを割り当てるよう更に構成され得る。規定ＣＳＩプロセスは、複数のＣＳＩプロセスのための最低ＣＳＩプロセスインデックスを有し得る。
【００８５】
別の例では、処理モジュール７２２は、ＨＡＲＱ−ＡＣＫ（hybrid  automatic  repeat  request−acknowledgement）及びＣＳＩレポートを多重化し、ＨＡＲＱ−ＡＣＫフィードバックビット及びスケジューリング要求（scheduling  request：ＳＲ）を有するＣＳＩレポートがＰＵＣＣＨ（physical  uplink  control  channel）フォーマット３ペイロードに適合するかどうかを決定するよう更に構成され得る。通信機モジュールは、ＨＡＲＱ−ＡＣＫフィードバックビット及びＳＲを有するＣＳＩレポートがＰＵＣＣＨフォーマット３ペイロードに適合しないとき、ＣＳＩレポートを有しないＳＲを含むＨＡＲＱ−ＡＣＫフィードバックビットを送信し、ＨＡＲＱ−ＡＣＫフィードバックビット及びＳＲを有するＣＳＩレポートがＰＵＣＣＨフォーマット３ペイロードに適合するとき、ＣＳＩレポートを有するＳＲを含む多重化ＨＡＲＱ−ＡＣＫフィードバックビットを送信するよう更に構成され得る。別の構成では、通信機モジュールは、ＰＵＣＣＨ（physical  uplink  control  channel）フォーマットの非衝突ＣＳＩレポートの数を送信するよう更に構成され得る。各ＣＳＩレポートは最大１１個のＣＳＩビットを使用できる。
【００８６】
図１１は、ユーザ機器（ＵＥ）、移動局（ＭＳ）、モバイル無線装置、モバイル通信装置、タブレット、ハンドセット、又は他の種類の無線装置のような無線装置の例示的説明を提供する。無線装置は、ノード、マクロノード、低電力ノード（low  power  node：ＬＰＮ）、又は基地局（ＢＳ）、ｅＮＢ（evolved  Node  B）、ベースバンドユニット（baseband  unit：ＢＢＵ）、ＲＲＨ（remote  radio  head）、ＲＲＥ（remote  radio  equipment）、中継局（ＲＳ）、無線機器（radio  equipment：ＲＥ）若しくは他の種類の無線広域ネットワーク（wireless  wide  area  network：ＷＷＡＮ）アクセスポイントのような送信局と通信するよう構成される１又は複数のアンテナを有し得る。無線装置は、３ＧＰＰ  ＬＴＥ、ＷｉＭＡＸ、ＨＳＰＡ（High  Speed  Packet  Access）、Ｂｌｕｅｔｏｏｔｈ（登録商標）及びＷｉＦｉを含む少なくとも１つの無線通信規格を用いて通信するよう構成され得る。無線装置は、無線通信規格毎に別個のアンテナを又は複数の無線通信規格のための共有アンテナを用いて通信できる。無線装置は、ＷＬＡＮ（wireless  local  area  network）、ＷＰＡＮ（wireless  personal  area  network）、及び／又はＷＷＡＮ内で通信できる。
【００８７】
図１１は、無線装置からの音声入力及び出力のために用いられ得るマイクロフォン及び１又は複数のスピーカの説明も提供する。ディスプレイスクリーンは、ＬＣＤ（liquid  crystal  display）スクリーン、又はＯＬＥＤ（organic  light  emitting  diode）ディスプレイのような他の種類のディスプレイスクリーンであっても良い。ディスプレイスクリーンは、タッチスクリーンのように構成され得る。タッチスクリーンは、容量性、抵抗性、又は別の種類のタッチスクリーン技術を用いても良い。アプリケーションプロセッサ及びグラフィックプロセッサは、処理及び表示能力を提供するために内部メモリに結合され得る。不揮発性メモリポートも、ユーザに入力／出力オプションを提供するために用いられ得る。不揮発性メモリポートは、無線装置のメモリ容量を拡張するために用いられても良い。キーボードは、追加ユーザ入力を提供するために、無線装置に統合され又は無線装置に無線接続されても良い。仮想キーボードは、タッチスクリーンを用いて提供されても良い。
【００８８】
種々の技術又はその特定の態様若しくは部分は、フロッピー（登録商標）ディスク、ＣＤ−ＲＯＭ、ハードドライブ、非一時的コンピュータ可読記憶媒体、又は任意の他の機械可読記憶媒体のような有形媒体に具現化されるプログラムコード（つまり、命令）の形式をとっても良く、プログラムコードがコンピュータのような機械に読み込まれ実行されると、該機械は、種々の技術を実施するための装置になる。回路は、ハードウェア、プログラムコード、実行可能コード、コンピュータ命令、及び／又はソフトウェアを有し得る。非一時的コンピュータ可読記憶媒体は、信号を含まないコンピュータ可読記憶媒体であり得る。プログラム可能なコンピュータでプログラムコードが実行される場合、コンピューティング装置は、プロセッサ、該プロセッサにより読み取り可能な記憶媒体（揮発性及び不揮発性メモリ、及び／又は記憶素子を含む）、少なくとも１つの入力装置、及び少なくとも１つの出力装置を含んでも良い。揮発性及び不揮発性メモリ及び／又は記憶素子は、ＲＡＭ、ＥＰＲＯＭ、フラッシュドライブ、光ドライブ、磁気ハードドライブ、固体ドライブ、又は電子データを格納する他の媒体であっても良い。ノード及び無線装置は、通信機モジュール、カウンタモジュール、処理モジュール、及び／又はクロックモジュール若しくはタイマモジュールを有しても良い。ここに記載した種々の技術を実施し又は利用し得る１又は複数のプログラムは、ＡＰＩ（application  programming  interface）、再利用可能制御、等を用いても良い。このようなプログラムは、コンピュータシステムと通信するために、高度な手続き又はオブジェクト指向プログラミング言語で実装されても良い。しかしながら、プログラムは、望ましい場合には、アセンブラ又は機械語で実装されても良い。いずれの場合にも、言語は、コンパイルされた又はインタープリットされた言語であっても良く、ハードウェア実装と結合されても良い。
【００８９】
理解されるべきことに、本願明細書に記載の機能ユニットの多くは、それらの実装独立性を特に強調するために、モジュールとしてラベル付けされた。例えば、モジュールは、カスタムＶＬＳＩ回路又はゲートアレイ、ロジックチップ、トランジスタ若しくは他の個別部品のようなオフザシェルフ（off−the−shelf）半導体を有するハードウェア回路として実装されても良い。モジュールは、フィールドプログラマブルゲートアレイ、プログラマブルアレイロジック、プログラマブルロジックデバイス、等のようなプログラマブルハードウェア素子内に実装されても良い。
【００９０】
モジュールは、種々の種類のプロセッサにより実行されるソフトウェアで実装されても良い。例えば、実行可能コードの識別されるモジュールは、例えばオブジェクト、プロシジャ又は関数として編成され得るコンピュータ命令の１又は複数の物理又は論理ブロックを有しても良い。しかしながら、識別されるモジュールの実行ファイルは、物理的に一緒に配置される必要はなく、論理的に一緒にされるとモジュールを有しモジュールの提示される目的を達成する異なる場所に格納される別個の命令を有しても良い。
【００９１】
実際に、実行可能コードのモジュールは、単一命令又は多くの命令であっても良く、幾つかの異なるコードセグメントに渡り、異なるプログラムの間で、及び幾つかのメモリ装置に渡り分散されても良い。同様に、運用データは、ここにモジュール内で識別され示され、任意の適切な形式で実装され、任意の適切な種類のデータ構造で編成されても良い。運用データは、単一データセットとして集められても良く、異なる記憶装置に渡ることを含む異なる場所に渡り分散されても良く、少なくとも部分的にシステム又はネットワーク上の電子信号として単に存在しても良い。モジュールは、所望の機能を実行するよう動作するエージェントを含み、受動的又は能動的であっても良い。
【００９２】
本願明細書を通じて「一例」という言及は、その例と関連して記載された特定の特徴、構造、機能又は特性が本発明の少なくとも１つの実施形態に含まれることを意味する。したがって、本願明細書を通じて種々の場所にある「一例では」という表現は、必ずしも全て同じ実施形態を参照していない。
【００９３】
ここで用いられるように、複数の用語、構造的要素、組成要素、及び／又は材料は、便宜のために共通のリストに現れ得る。しかしながら、これらのリストは、該リストの各構成要素が別個の及びユニークな構成要素として個々に識別されるものと考えられるべきである。したがって、このようなリストのいかなる個々の構成要素も、断りのない限り、事実上、共通グループ内での出現に基づき同じリストの任意の他の構成要素の等価物として考えられるべきである。さらに、本発明の種々の実施形態及び例は、その種々の成分の代替物とともにここで言及されても良い。理解されるべきことに、このような実施形態、例、及び代替は、事実上互いの等価物として考えられるべきではないが、本発明の別個の及び自主的表現として考えられるべきである。
【００９４】
更に、記載の特徴、構造又は特性は、１又は複数の実施形態において、任意の適切な方法で結合されても良い。以下の記載では、本発明の実施形態の完全な理解を提供するために、レイアウトの例、距離、ネットワーク例、等のような多くの特定の詳細事項が提供される。しかしながら、当業者は、本発明が特定の詳細事項のうちの１又は複数がなくても又は他の方法、コンポーネント、レイアウト、等で実施できることを理解するだろう。他の例では、良く知られた構造、材料又は動作は、本発明の態様を不明瞭にしないために詳細に示されず又は記載されない。
【００９５】
前述の例は１又は複数の特定の用途における本発明の原理の説明であるが、当業者には、発明力を行使しないで及び本発明の原理及び概念から逸脱することなく、実装の形式、使用方法及び詳細事項において多くの変更を行うことができることが明らかである。したがって、以下に記載の請求の範囲を除いて、本発明は限定されるものではない。
【００９６】
［関連出願］
本願は、参照されることにより全体が本願明細書に組み込まれる米国仮特許出願番号第６１/６７９,６２７号、２０１２年８月３日出願、代理人管理番号P４６６３０Zの利益を請求する。
【図１】
0006466515.tif 000004
【図２Ａ】
0006466515.tif 000005
【図２Ｂ】
0006466515.tif 000006
【図２Ｃ】
0006466515.tif 000007
【図３Ａ】
0006466515.tif 000008
【図３Ｂ】
0006466515.tif 000009
【図４】
0006466515.tif 000010
【図５】
0006466515.tif 000011
【図６】
0006466515.tif 000012
【図７Ａ】
0006466515.tif 000013
【図７Ｂ】
0006466515.tif 000014
【図７Ｃ】
0006466515.tif 000015
【図８】
0006466515.tif 000016
【図９】
0006466515.tif 000017
【図１０】
0006466515.tif 000018
【図１１】
0006466515.tif 000019